(57)【特許請求の範囲】
【請求項１】
上面が開口する略箱状で、薬剤搬送用キャビネットに着脱自在な薬剤バケットに、少なくとも薬剤を収容した薬剤容器を配設するようにした薬剤バケットの薬剤収容構造において、
前記薬剤バケットの側面に複数の係止孔を穿設し、
該係止孔のいずれかに係止される係止腕部と、前記薬剤バケットの所定位置に位置決めした前記薬剤容器を、必要に応じて、前記薬剤バケットの側面及び底面に沿ってスライド移動可能となるように、前記薬剤容器の開口縁部をスライド可能に挟持する挟持部とを備えた係止部材を設けたことを特徴とする薬剤バケットの薬剤収容構造。
【請求項２】
前記薬剤容器の側面に突出部を形成することにより、前記薬剤容器を複数積み重ねた際、側壁外面と側壁内面とが互いに密着しないようにしたことを特徴とする請求項１に記載の薬剤バケットの薬剤収容構造。
【請求項３】
前記係止孔は矩形孔で構成し、
前記突出部は所定間隔で突出する一対の係止爪からなり、各係止爪は前記矩形孔の側縁部に係止されることを特徴とする請求項２に記載の薬剤バケットの薬剤収容構造。
【発明の詳細な説明】
【０００１】
【発明の属する技術分野】
本発明は、薬剤バケットに収容する薬剤容器の取付構造に関するものである。
【０００２】
【従来の技術】
従来、病院内で、例えば調剤室から病棟の各病室まで薬剤を搬送する場合、薬剤を薬剤バケットに収容し、この薬剤バケットをキャビネットに多段に積層した状態で行えるようにした構成が公知である。
【０００３】
【発明が解決しようとする課題】
しかしながら、前記薬剤バケットでは、搬送途中の振動等によって収容した薬剤が位置ずれする恐れがあるため、折角整列させて収容してあったとしても、使用時に選別し直さなければならないという問題がある。
【０００４】
特に、同一の薬剤バケットに複数の患者の薬剤が収容される場合、搬送時の位置ずれによって誤って投薬される危険性が生じる。このため、できるだけ投薬時の看護婦等の負担を減らし、かつ、患者に与える危険を回避することが望まれている。
【０００５】
そこで、本発明は、薬剤を収容して搬送する際の振動等が作用しても、確実に所定位置に薬剤を位置決めすることができ、かつ、取扱いにも便利な薬剤バケットの薬剤収容構造を提供することを課題とする。
【０００６】
【課題を解決するための手段】
本発明は、前記課題を解決するための手段として、
上面が開口する略箱状で、薬剤搬送用キャビネットに着脱自在な薬剤バケットに、少なくとも薬剤を収容した薬剤容器を配設するようにした薬剤バケットの薬剤収容構造において、
前記薬剤バケットの側面に複数の係止孔を穿設し、
該係止孔のいずれかに係止される係止腕部と、前記薬剤バケットの所定位置に位置決めした前記薬剤容器を、必要に応じて、前記薬剤バケットの側面及び底面に沿ってスライド移動可能となるように、前記薬剤容器の開口縁部をスライド可能に挟持する挟持部とを備えた係止部材を設けたものである。
【０００７】
この構成により、薬剤容器の開口縁部に係止部材の挟持部を取り付け、薬剤バケットの係止孔のいずれかに係止部材の係止腕部を係止することにより、薬剤容器を所望の場所に位置決めすることができる。したがって、薬剤バケットを薬剤搬送用キャビネットに取り付け、このキャビネットを搬送することにより振動したとしても、薬剤容器は係止部材によって確実に位置ずれを防止される。
【０００９】
前記薬剤容器の側面に突出部を形成することにより、前記薬剤容器を複数積み重ねた際、側壁外面と側壁内面とが互いに密着しないようにすると、薬剤容器を積み重ねた際の密着を確実に回避可能となる点で好ましい。
【００１０】
前記係止孔は矩形孔で構成し、前記突出部は所定間隔で突出する一対の係止爪からなり、各係止爪は前記矩形孔の側縁部に係止されるようにすると、薬剤容器を薬剤バケットに位置決め可能なだけでなく、積み重ねた際の密着を回避して取扱いやすくできる点で好ましい。
【００１１】
【発明の実施の形態】
以下、本発明に係る実施形態を添付図面に従って説明する。
【００１２】
図１は本実施形態に係る医薬品搬送用キャビネット１の正面図、図２はその平面図を示す。このキャビネット１は、ステンレス、スチール、アルミ合金等からなり、基台２と、その上部に並設される複数の薬剤バケット支持部３とで構成される。
【００１３】
基台２は、略Ｈ字形状で４隅にキャスター４が設けられることにより、床面上を移動自在となっている。
【００１４】
各薬剤バケット支持部３は格子状に形成され、横桟５（図３）からは側方に支持片６がそれぞれ突設されている。そして、隣接する薬剤バケット支持部３の対向部分に形成される両支持片６で、薬剤バケット７を支持する支持部８を構成している。
【００１５】
両端部及び中間部２箇所に位置する薬剤バケット支持部３ａは、上下横桟５の中央部に突部９ａ，９ｂがそれぞれ形成されている。そして、上方側の突部９ａが補助ビーム１０によって連結され、下方側の突部９ｂが基台２上に固定されることにより所定間隔で並設される。突部９ａ，９ｂを設けることにより、薬剤バケット支持部３を基台２及び補助ビーム１０から離間させて配置することが可能である。各薬剤バケット支持部３の間隔は、使用する薬剤バケット７のサイズに応じて適切な寸法に設計可能である。
【００１６】
また、他の中間部２箇所に位置する薬剤バケット支持部３ｂには、図３に示すように、上下に設けたスライド軸１１にスライドベアリング１２を介してスライド移動可能に取り付けられている（図３では、上方側のみ図示）。なお、前記薬剤バケット支持部３ｂの位置決めには、例えば、図示しないクイックセットカラー（商品名）とボールキャッチ等を使用すればよい。
【００１７】
また、一端側の薬剤バケット支持部３ａの上端部には、図１〜図３に示すように、回転操作可能なロックハンドル１３が設けられている。ロックハンドル１３には、上横桟５内に配設した駆動シャフト１４が連結され、ギア、従動シャフト１５、及びギアを介してスプリング１６ａによって上方に付勢された昇降ロッド１６が、各薬剤バケット支持部３ａ，３ｂ毎に昇降可能に連結されている（薬剤バケット支持部３ｂに設ける場合には、そのスライド移動と共にギア等がスライドする構成とする必要がある。）。昇降ロッド１６には各支持片６毎にアーム部１７が形成され、その先端に形成した係合突部１８が、後述する薬剤バケット７の鍔部７ａの段部７ｃに係脱する。これにより、キャビネット１に支持させた複数の薬剤バケット７を、１箇所に設けたロックハンドル１３を操作するだけで、ロック状態又はアンロック状態とすることが可能となる。なお、ロックハンドル１３に施錠機構を採用することにより、薬剤バケット７の装着後、解錠しなければ、収容した薬剤を取り出すことができないようにすることも可能である。これにより、第三者が搬送途中の薬剤を覗いたり、勝手に持ち出したりすることを確実に阻止することが可能となる。但し、前記実施形態では、最上部に位置する薬剤バケット７に蓋等を設けて施錠できるようにする必要がある。
【００１８】
前記薬剤バケット７は、図３及び図８に示すように、塩化ビニル、ポリカーボネート、ＡＢＳ樹脂等の合成樹脂を上面が開口する箱状としたものである。本実施形態では、幅寸法及び高さ寸法の異なる４種類の薬剤バケット７が使用され、輸液バッグ１９（図３）や薬剤容器２０を収納可能となっている。幅広タイプでは、輸液バッグ１９を取出容易なスペースを残して３本並べて収容可能であり、幅狭タイプでは１本収容可能である。嵩高タイプでは輸液バッグ１９を上下２段に収容可能であり、嵩低タイプでは１段でのみ収容可能である。薬剤バケット７の上方開口縁部は、縦側（長手方向）の鍔部７ａが横側（幅方向）の鍔部７ｂに比べて低い位置に設けられることにより段部７ｃを形成され、そこには前記ロックハンドル１３に連動して動作する係合突部１８が係脱する。また、薬剤バケット７の側壁には複数の矩形孔２１が並設されている。矩形孔２１は、薬剤バケット７内に設ける仕切板（図示せず）の取付けや、次に示す薬剤容器２０の固定に利用される。薬剤容器２０は、前記薬剤バケット７と同様な合成樹脂を上面が開口する箱状に形成したものである。薬剤容器２０には、ある患者に投与する１回分のアンプル等の薬剤が収容される。したがって、ある患者に朝・夕２回の投与を行う場合には、２つの薬剤容器２０が必要となる。薬剤容器２０は係止部材２２によって薬剤バケット７内に固定される。係止部材２２は、合成樹脂を略Ｕ字形に形成したもので、薬剤バケット７の矩形孔２１に係止される係止腕部２２ａと、薬剤容器２０の上方開口縁部を挟持する挟持部２２ｂとからなり薬剤容器２０を位置決めする。
【００１９】
なお、前記係止部材２２は、図５に示すように、前記薬剤バケット７の側面に一体的に設けた係止部２３で構成してもよい。
【００２０】
また、前記薬剤バケット７の側面に、図６や図７に示す突出部２４を形成してもよい。図６では、突出部２４は雫状の突起２５で構成され、この突起２５が、薬剤容器２０を積み重ねた際、下方側の上方開口縁部に当接し、側壁の内外面が密着する等して分離しづらくなることを防止する。但し、この突起２５の形状は、雫状には限定されず、楕円形等、積み重ねた薬剤容器２０が密着することを防止できるのであれば、どのような形状であってもよい。図７では、突出部２４は、所定間隔で突出する係止爪２６で構成されている。この係止爪２６は、積み重ねた薬剤容器２０を容易に分離させる役割だけでなく、前記薬剤バケット７の矩形孔２１の側縁部に係止することにより位置決めする役割も果たす。
【００２１】
次に、前記構成の医薬品搬送用キャビネット１の使用態様について説明する。
【００２２】
医薬品等を搬送する場合には、医薬品等を薬剤バケット７に収容し、この薬剤バケット７を各支持部８に支持させる。この場合、輸液バッグ１９であればそのまま、他の形態の薬剤、例えば、アンプル、分包薬等であれば、患者の１回分毎に薬剤容器２０に収容して薬剤バケット７に収納する。薬剤容器２０は、係止部材２２を使用して位置決めする。薬剤容器２０は、図８（ａ）に示すように、薬剤バケット７の側面に形成した多数ある矩形孔２１のいずれを利用しても、係止部材２２によって確実に位置決めすることができる。また、係止部材２２による位置決め後、図８（ｂ）に示すように、係止部材２２に対して薬剤容器２０をスライド移動させ、例えば、薬剤容器２０を薬剤バケット７の隅部に位置させることも可能である。これにより、キャビネット１を移動させる際、患者（特に、複数の患者）毎に、あるいは、薬種毎に分けていた薬剤、が混在するといった不具合を確実に防止できる。また、使用する薬剤バケット７のサイズに応じて移動式の薬剤バケット支持部３をスライドさせ、適切な間隔に設定する。これにより、薬剤バケット７のサイズの違いに拘わらず、適切に支持することが可能となる。
【００２３】
薬剤バケット７の取付けが完了すれば、ロックハンドル１３を回動させ、各薬剤バケット７の段部７ｃに係止部２３を係止し、薬剤バケット７をロック状態とする。これにより、キャビネット１を病棟等に移動させる際に、薬剤バケット７が脱落したり、薬剤が落下する等の不具合を防止することができる。
【００２４】
また、不使用時、複数のキャビネット１を保管する場合には、薬剤バケット７を完全に取り外し、図９に示すように、互いに重なり合うように配置する。薬剤バケット支持部３は、突部９ａ，９ｂの存在により、基台２と補助ビーム１０の間に位置し、互いに干渉することはない。したがって、複数のキャビネット１を保管する場合であっても、占有スペースを抑制することが可能となる。
【００２５】
なお、薬剤バケット支持部３は、回動可能に設けてもよい。すなわち、図１０に示すように、全て斜めに回動させたり、図１１に示すように、一端側に向かって広がるように回動させてもよい。これにより、より一層、キャビネット１の保管スペースを抑制することが可能となる。
【００２６】
また、前記キャビネット１への薬剤バケット７の位置決めは、図１２に示す構成により行うようにしてもよい。すなわち、昇降ロッド１６から延設したアームウ３２に係合凸部３３を形成し、この係合凸部３３を薬剤バケット７の鍔部７ａに形成した係合孔３４に係合する。
【００２７】
また、前記薬剤バケット支持部３は全て基台２及び補助ビーム１０に固定するようにしてもよい。また、スライド機構を、図１３に示すように構成してもよい。すなわち、薬剤バケット支持部３の上下の突部９ａ，９ｂに複数組のローラ３５を設け、基台２及び補助ビーム１０に形成した案内溝３６に挿通してスライド自在とする。
【００２８】
【発明の効果】
以上の説明から明らかなように、本発明によれば、薬剤バケットに形成した係止孔を利用して係止部材により薬剤容器を薬剤バケット内の所望の位置に位置決めしたので、搬送途中に位置ずれすることを確実に防止することができる。したがって、例えば他の患者の薬剤と間違える等の不具合を的確に防止することが可能となる。
【図面の簡単な説明】
【図１】  本実施形態に係る薬剤搬送用キャビネットの正面図である。
【図２】  図１の平面図である。
【図３】  図１の部分斜視図である。
【図４】  図１の薬剤バケットに収容する薬剤容器の斜視図である。
【図５】  薬剤容器の他の例を示す斜視図である。
【図６】  他の例に係る薬剤容器を積み重ねた状態を示す斜視図である。
【図７】  さらに他の例に係る薬剤容器を積み重ねた状態を示す斜視図である。
【図８】  薬剤バケットへの薬剤容器の取付例を示す部分斜視図である。
【図９】  図１に示す薬剤搬送用キャビネットの保管状態を示す平面図である。
【図１０】  他の例に係る薬剤搬送用キャビネットの保管状態を示す平面図である。
【図１１】  他の例に係る薬剤搬送用キャビネットの保管状態を示す平面図である。
【図１２】  薬剤搬送用キャビネットに薬剤バケットをロックするための他の例を示す部分断面図である。
【図１３】  スライド可能に設けた薬剤バケット支持部の他の例を示す部分斜視図である。
【符号の説明】
１…キャビネット
２…基台
３…薬剤バケット支持部
５…横桟
６…支持片
７…薬剤バケット
８…支持部
１０…補助ビーム
１１…スライド軸
１２…スライドベアリング
１３…ロックハンドル
１６…昇降ロッド
１７…アーム部
１８…係合突部
２０…薬剤容器
２１…矩形孔
２２…係止部材
２２ａ…係止腕部
２２ｂ…挟持部
【図１】
0004754114.tif 000002
【図２】
0004754114.tif 000003
【図３】
0004754114.tif 000004
【図４】
0004754114.tif 000005
【図５】
0004754114.tif 000006
【図６】
0004754114.tif 000007
【図７】
0004754114.tif 000008
【図８】
0004754114.tif 000009
【図９】
0004754114.tif 000010
【図１０】
0004754114.tif 000011
【図１１】
0004754114.tif 000012
【図１２】
0004754114.tif 000013
【図１３】
0004754114.tif 000014